(57)【特許請求の範囲】
【請求項１】
背負架台（Ｂ）の背当て部（１）に吸気口（１３）を対向させ且つ前記背当て部（１）との間に吸気間隙（Ｓ）をあけてブロワー（１０）が搭載され、前記吸気間隙（Ｓ）において前記吸気口（１３）の外周部が、周方向の全体に通気孔（１５）を有し固定側から開放側へと徐々に広がる末広がり形状を有するインテークグリッド（１４）で囲繞されたことを特徴とするブロワー搭載背負形作業機。
【請求項２】
前記インテークグリッド（１４）が周方向において複数に分割された要素を連結して組み立てられることを特徴とする請求項１に記載のブロワー搭載背負形作業機。
【発明の詳細な説明】
【０００１】
【発明の属する技術分野】
本発明は、背負形動力散布機、背負形動力送風機等のブロワー搭載背負形作業機に関する。
【０００２】
【従来の技術】
従来、前記背負形動力散布機、背負形動力送風機等（以下単に「ブロワー搭載作業機」と言う。）は、背負架台に、動力源となる内燃機関、燃料タンク、薬剤タンク、各種操作レバー等とともに、前記背負架台の背当て部に吸気口を対向させ且つ前記背当て部との間に吸気間隙をあけてブロワーが搭載されている。
【０００３】
【発明が解決しようとする課題】
前記従来のブロワー搭載作業機は、前記ブロワーの吸気口部に、枯れ葉、その他の塵埃の侵入を阻止するために、網目状の通気孔を有する略椀形のファン吸気口カバーが取り付けられている。
【０００４】
前記吸気口及び該吸気口に取り付けられたファン吸気口カバーは、比較的狭く形成された前記吸気間隙内方の中央部に位置しており、しかも、前記ファン吸気口カバーは、前記吸気口を覆う状態に取り付けられているため、特に、前記ファン吸気口カバーにより、前記ブロワーの吸気口に至る通気路が絞られ、前記ブロワーの吸気効率が低下させられるという問題が残されていた。
【０００５】
さらに、前記比較的狭く形成された前記吸気間隙からは、前記ブロワーの吸気口部に手が届かないため安全ではあるが、作業継続中に、前記ファン吸気口カバー部に捕捉吸着されてブロワーの吸気効率を低下させる枯れ葉、その他の塵埃の除去に手数を要し、作業の中断を伴うものであった。
【０００６】
本発明は、前記事情に鑑み、ブロワーの吸気効率の向上とともに、安全が確保され、しかも、捕捉吸着された枯れ葉、その他の塵埃の除去が容易なブロワー搭載背負形作業機を提供することを目的とする。
【０００７】
【課題を解決するための手段】
請求項１に示す本発明のブロワー搭載作業機は、背負架台の背当て部に吸気口を対向させ且つ前記背当て部との間に吸気間隙をあけてブロワーが搭載され、前記吸気間隙において前記吸気口の外周部が、周方向の全体に通気孔を有し固定側から開放側へ徐々に広がる末広がり形状を有するインテークグリッドで囲繞されてなることを特徴とする。
【０００８】
この請求項１によれば、従来の、ブロワーの吸気口を覆うように設けられていた前記ファン吸気口カバーと異なり、前記ブロワーの吸気口に至る通気路が大幅に拡大され、前記ブロワーの吸気効率が向上させられる。さらに、前記インテークグリッドに外側から手指による押圧が加えられた場合にも、外形の大きい開放側の内側への変形が小さく抑えられ、また、仮に前記外形の大きい開放側が内側へ大きく変形させられた場合にも、その先端部が、例えば、背負架台等の他部材に接触する等して以後の動きが止められて安全が確保される。
【０００９】
請求項２に示す実施の一形態は、前記インテークグリッドが、周方向において複数に分割された要素を連結して組み立てられることを特徴とする請求項１に記載のブロワー搭載作業機である。この請求項２の実施の一形態によれば、金型を用いて成形する場合にその金型を小型化することが可能となり、製造コストを低減できて好適である。
【００１１】
【発明の実施の形態】
以下に、本発明の実施の一形態を図面に基づいて説明する。図１は、ブロワー搭載作業機の一例としての背負形動力送風機の要部断面図、図２は、背負架台の一例を示す斜視図、図３は、インテークグリッドの全体斜視図、図４は、インテークグリッドの一部分解斜視図である。
【００１２】
まず、ブロワー搭載作業機の一例として、図１に示す、背負形動力送風機及び図２に示す、背負架台について説明する。
【００１３】
前記背負形動力送風機は、作業者が背負う背負架台Ｂと、該背負架台Ｂに搭載装置される機械部材Ｍから構成されている。
【００１４】
前記背負架台Ｂは、図面実施の一形態においては、背当て部１と、その下端に薄肉部２を介して水平に屈曲される台座部３が、それぞれブロー成形により、平板状一体に成形され、前記薄肉部２両端の前記背当て部１及び前記台座部３に、それぞれ前記薄肉部２を挟んで互いに反対方向へ向けて形成した傾斜面部４及び５を互いに密着して連結固定し、全体として側面視Ｌ字状に形成してなる。図中、６は、背負バンド７の連結部、８は携帯用ハンドルである。
【００１５】
また、前記背負架台Ｂに搭載装置される機械部材Ｍは、その詳細を図示しないが、動力源としての小型空冷２サイクルガソリンエンジン等の内燃機関９、該内燃機関９に隣接して遠心式ブロワー１０が一体的に設けられ、該遠心式ブロワー１０が、前記内燃機関９によって駆動させられる構成になっている。その他、前記背負架台Ｂには、前記機械部材Ｍとして、燃料タンク、各種操作レバー等が搭載装置されている。
【００１６】
前記構成において、前記遠心式ブロワー１０は、遠心ファン１１及びファンケース１２で構成され、前記ファンケース１２に形成された吸気口１３を、図１に示すように、前記背負架台Ｂの前記背当て部１に対向させ、さらに、前記遠心式ブロワー１０と前記背負架台Ｂの背当て部１との間に所定寸法の吸気間隙Ｓをあけて、前記背負架台Ｂの前記台座部３上に搭載されている。
【００１７】
従来は、前記遠心式ブロワー１０の前記吸気口１３部に、該吸気口１３を覆うごとく、前記した網目状の通気孔を有する略椀形状のファン吸気口カバー（図示せず）を設けていた。
【００１８】
本発明では、前記構成において、前記吸気口１３部に、前記した網目状の通気孔を有するファン吸気口カバーを設けることなく、前記遠心式ブロワー１０及び前記背当て部１間に形成された前記吸気間隙Ｓにおいて前記吸気口１３の外周部を囲繞するように、図３及び図４に示す略ドーナツ形状のインテークグリッド１４が設けられる。
【００１９】
前記インテークグリッド１４は、好ましくは、プラスチック等の柔軟性素材からなり、前記吸気間隙Ｓ内に配設されて前記吸気口１３の外周部を囲む短い末広がり状の円筒体に形成され、同時に多数の通気孔１５が周面全体に形成される。さらに、図面実施の一形態では、全体を一体成形とすることなく、三分割され、成形用金型の小型化が図られ、連結組み立て使用するものとされている。図中、１６は、前記連結及び固定を兼ねる取付孔である。
【００２０】
さらに、図面実施の一形態では、前記インテークグリッド１４の固定側内径Ｄｆ、すなわち、前記取付孔１６が形成された内側フランジ１７部側の径よりも、前記背当て部１の背面からわずかに離隔して位置する開放側端側フランジ部１８の内径Ｄｏが大きく形成されている。なお、図中、１９は、前記インテークグリド１４の取付けねじ、２０は、前記背負架台Ｂ側の取り付け座部２１ａ，２１ｂ，２１ｃと前記遠心式ブロワー１０との間に介在させられた防振部材、２２は、前記背当て部１の背面側中央部に一体成形されて前記吸気口１３に向けて突出する吸気ガイド部である。
【００２１】
前記構成において、前記内燃機関９により、前記遠心式ブロワー１０を駆動させると、外気が、前記遠心式ブロワー１０と前記背負架台Ｂ間に形成された吸気間隙Ｓにおいて吸気口１３の外周部に設けられたインテークグリッド１４の通気孔１５から、前記吸気口１３に円滑に吸引される。
【００２２】
すなわち、前記遠心式ブロワー１０の吸気口１３に至る通気路が、従来に比して大幅に拡大され、前記遠心式ブロワー１０には十分な外気が効率良く供給される。また、前記外気の吸引に伴い、前記インテークグリッド１４に、枯れ葉、その他の塵埃が捕捉吸着された場合にも、手で容易に除去して作業を継続でき、それら塵埃の除去時及び作業時において危険を伴うことがなく、安全である。
【００２３】
【発明の効果】
前記本発明のブロワー搭載作業機によれば、ブロワーの吸気効率が向上させられ、同時に安全が確保されるとともに、前記インテークグリッドに捕捉吸着された枯れ葉、その他の塵埃の除去もきわめて容易である効果が得られる。
【図面の簡単な説明】
【図１】  ブロワー搭載作業機の一例としての背負形動力送風機の要部断面図である。
【図２】  背負架台の一例を示す斜視図である。
【図３】  インテークグリッドの斜視図である。
【図４】  インテークグリッドの一部分解斜視図である。
【符号の説明】
１      背当て部
１０    ブロワー
１３    吸気口
１４    インテークグリッド
１５    通気孔
Ｂ      背負架台
Ｓ      吸気間隙
【図１】
0004055925.tif 000002
【図２】
0004055925.tif 000003
【図３】
0004055925.tif 000004
【図４】
0004055925.tif 000005